【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
情報処理装置であって、
無線ネットワークインタフェースと、
前記無線ネットワークインタフェースを使用するダイレクト無線通信機能に関する動作モードをＷｉ−Ｆｉ  Ｄｉｒｅｃｔ（登録商標）に準拠するダイレクト無線通信を行う第１モードとするか、前記Ｗｉ−ＦｉＤｉｒｅｃｔ（登録商標）に準拠しないダイレクト無線通信を行う第２モードであって、アクセスポイントとして前記情報処理装置を動作させ、当該アクセスポイントを介して外部装置との間でダイレクト無線通信を行う前記第２モードとするかを設定する第１の設定手段と、
外部装置と前記情報処理装置との間でネットワーク通信を確立するための接続情報を、前記無線ネットワークインタフェースを使用する無線通信とは異なる方法で外部装置に提供する提供手段と、を有し
前記提供手段は、前記第２モードでダイレクト無線通信機能を起動している場合、前記アクセスポイントの接続情報を前記異なる方法で提供し、前記第１モードで前記ダイレクト無線通信機能を起動している場合、前記Ｗｉ−Ｆｉ  Ｄｉｒｅｃｔ（登録商標）に準拠するダイレクト無線通信を確立するための情報を含まず、前記情報処理装置に割り当てられたＩＰアドレスを含む接続情報を前記異なる方法で提供するよう制御することを特徴とする情報処理装置。
【請求項２】
前記無線ネットワークインタフェースを使用する無線通信は、ＩＥＥＥ８０２．１１に準拠する無線通信であり、
前記提供手段は、前記無線ネットワークインタフェースを使用するネットワーク通信とは異なる近距離無線通信で前記接続情報を外部装置に提供することを特徴とする請求項１に記載の情報処理装置。
【請求項３】
前記近距離無線通信には、ＩＳＯ／ＩＥＣ２１４８１又はＩＳＯ／ＩＥＣ１８０９２に準拠するＮＦＣ通信、又はＢｌｕｅｔｏｏｔｈ（登録商標）  Ｌｏｗ  Ｅｎｅｒｇｙに準拠するＢｌｕｅｔｏｏｔｈ  ＬＥ通信の少なくとも１つが含まれていることを特徴とする請求項２に記載の情報処理装置。
【請求項４】
前記提供手段は、前記第１の設定手段によってダイレクト無線通信機能に関する動作モードの設定が変更された場合、当該変更された設定に基づいて、前記Ｂｌｕｅｔｏｏｔｈ  ＬＥ通信で使用するＧＡＴＴサーバのキャラクタリスティックを書き換え、前記Ｂｌｕｅｔｏｏｔｈ  ＬＥ通信を介して前記外部装置に提供する接続情報を更新することを特徴とする請求項３に記載の情報処理装置。
【請求項５】
ＮＦＣインタフェースを更に備え、
前記提供手段は、前記第１の設定手段によってダイレクト無線通信機能に関する動作モードの設定が変更された場合、当該変更された設定に基づいて、前記ＮＦＣインタフェースを介したＮＦＣ通信で前記外部装置に提供する接続情報を更新することを特徴とする請求項３に記載の情報処理装置。
【請求項６】
前記ＮＦＣインタフェースは、ＮＦＣタグであり、
前記提供手段は、前記動作モードの設定が変更された場合、前記ＮＦＣタグに格納されるタグデータ内の接続情報を更新し、
前記ＮＦＣタグに格納されるタグデータには、前記接続情報に加えて、外部装置が起動すべきアプリケーションを識別する識別情報が含まれることを特徴とする請求項５に記載の情報処理装置。
【請求項７】
操作部を更に備え、
前記提供手段は、更に、前記操作部上に前記接続情報を含む二次元コードを前記操作部上に表示し、前記二次元コードを外部装置に読み取らせることで、前記接続情報を外部装置に提供することを特徴とする請求項１乃至６のいずれか１項に記載の情報処理装置。
【請求項８】
Ｗｉ−Ｆｉ  Ｄｉｒｅｃｔ（登録商標）の動作モードとしてＡｕｔｏｎｏｍｏｕｓ  Ｇｏモードを有効にするか否かを設定する第２の設定手段を更に備え、
前記第２の設定手段によりＡｕｔｏｎｏｍｏｕｓ  Ｇｏモードが有効に設定され、且つ前記第１モードで前記ダイレクト無線通信機能を起動している場合、前記情報処理装置は前記Ｗｉ−Ｆｉ  Ｄｉｒｅｃｔ（登録商標）のグループオーナーとしてアクセスポイントを外部装置に提供し、
前記提供手段は、前記第１モードで前記ダイレクト無線通信機能を起動している場合であっても、前記情報処理装置が前記グループオーナーとして前記アクセスポイントを外部装置に提供している場合は、当該アクセスポイントに接続するための接続情報を前記異なる方法で提供することを特徴とする請求項１乃至７のいずれか１項に記載の情報処理装置。
【請求項９】
前記提供手段は、前記第２の設定手段によって前記Ａｕｔｏｎｏｍｏｕｓ Ｇｏモードが有効に設定され、且つ前記第１モードで前記ダイレクト無線通信機能を起動している場合、前記接続情報として、少なくとも前記アクセスポイントに接続するためのＳＳＩＤ（Ｓｅｒｖｉｃｅ  Ｓｅｔ  Ｉｄｅｎｔｉｆｉｅｒ）とパスワード、及び、Ｗｉ−Ｆｉ  Ｄｉｒｅｃｔ（登録商標）で使用するデバイス名称を少なくとも含む接続情報を提供することを特徴とする請求項８に記載の情報処理装置。
【請求項１０】
前記無線ネットワークインタフェースを介したダイレクト無線通信の使用を許可するか否かを設定する第３の設定手段を更に備え、
前記第３の設定手段によって、前記ダイレクト無線通信の使用を許可しないことが設定されていることに従って、前記提供手段は、前記情報処理装置に対して割り当てられているＩＰアドレスを含み、前記ＳＳＩＤと前記パスワード、前記デバイス名称を含まない接続情報を提供することを特徴とする請求項９に記載の情報処理装置。
【請求項１１】
ユーザ操作に応じて前記ダイレクト無線通信を使用するか否かを設定する第４の設定手段を更に備え、
前記第３の設定手段によって前記ダイレクト無線通信の使用を許可することが設定されている場合であっても、前記第４の設定手段によって、前記ダイレクト無線通信を使用しないことが設定されている場合、前記提供手段は、前記情報処理装置に割り当てられているＩＰアドレスを含み、前記ＳＳＩＤと前記パスワード、前記デバイス名称を含まない接続情報を提供することを特徴とする請求項１０に記載の情報処理装置。
【請求項１２】
前記情報処理装置は、印刷装置であることを特徴とする請求項１乃至１１のいずれか１項に記載の情報処理装置。
【請求項１３】
前記提供手段で提供される、前記情報処理装置に割り当てられた前記ＩＰアドレスは、前記ダイレクト無線通信機能を使用して構築されるピアツーピアネットワークとは異なるローカルエリアネットワークを経由して外部装置とデータ通信を行うために前記情報処理装置に割り当てられたＩＰアドレスであることを特徴とする請求項１乃至１２のいずれか１項に記載の情報処理装置。
【請求項１４】
無線ネットワークインタフェースを有する情報処理装置の制御方法であって、
前記無線ネットワークインタフェースを使用するダイレクト無線通信機能に関する動作モードをＷｉ−Ｆｉ  Ｄｉｒｅｃｔ（登録商標）に準拠するダイレクト無線通信を行う第１モードとするか、前記Ｗｉ−Ｆｉ  Ｄｉｒｅｃｔ（登録商標）に準拠しないダイレクト無線通信を行う第２モードであって、アクセスポイントとして前記情報処理装置を動作させ、当該アクセスポイントを介して外部装置との間でダイレクト無線通信を行う第２モードとするかを設定する第１の設定工程と、
外部装置と前記情報処理装置との間でネットワーク通信を確立するための接続情報を、前記無線ネットワークインタフェースを使用する無線通信とは異なる方法で外部装置に提供する提供工程と、を有し
前記提供工程では、前記第２モードでダイレクト無線通信機能を起動している場合、前記アクセスポイントの接続情報を前記異なる方法で提供し、前記第１モードで前記ダイレクト無線通信機能を起動している場合、前記Ｗｉ−Ｆｉ  Ｄｉｒｅｃｔ（登録商標）に準拠するダイレクト無線通信を確立するための情報を含まず、前記情報処理装置に割り当てられたＩＰアドレスを含む接続情報を前記異なる方法で提供することを特徴とする制御方法。
【請求項１５】
請求項１４に記載の情報処理装置の制御方法をコンピュータに実行させるためのプログラム。
【手続補正２】
【補正対象書類名】明細書
【補正対象項目名】００１１
【補正方法】変更
【補正の内容】
【００１１】
上記の少なくとも１つの目的を達成するために本発明の１つの側面としての情報処理装置は、無線ネットワークインタフェースと、前記無線ネットワークインタフェースを使用するダイレクト無線通信機能に関する動作モードをＷｉ−Ｆｉ  Ｄｉｒｅｃｔ（登録商標）に準拠するダイレクト無線通信を行う第１モードとするか、前記Ｗｉ−Ｆｉ  Ｄｉｒｅｃｔ（登録商標）に準拠しないダイレクト無線通信を行う第２モードであって、アクセスポイントとして前記情報処理装置を動作させ、当該アクセスポイントを介して外部装置との間でダイレクト無線通信を行う第２モードとするかを設定する第１の設定手段と、外部装置と前記情報処理装置との間でネットワーク通信を確立するための接続情報を、前記無線ネットワークインタフェースを使用する無線通信とは異なる方法で外部装置に提供する提供手段と、を有し前記提供手段は、前記第２モードでダイレクト無線通信機能を起動している場合、前記アクセスポイントの接続情報を前記異なる方法で提供し、前記第１モードで前記ダイレクト無線通信機能を起動している場合、前記Ｗｉ−Ｆｉ Ｄｉｒｅｃｔ（登録商標）に準拠するダイレクト無線通信を確立するための情報を含まず、前記情報処理装置に割り当てられたＩＰアドレスを含む接続情報を前記異なる方法で提供するよう制御することを特徴とする。